(57)【要約】【課題】ユーザーが設置環境を調整しやすい液体吐出装置及び液体吐出装置の制御装置を提供すること。【解決手段】筐体と、筐体内に位置し、媒体に液体を吐出する吐出部と、装置が設置される設置環境の推奨される推奨条件を表示する表示部１９と、を備え、表示部は、推奨条件として、（ａ）推奨される温度域を示す推奨温度条件、（ｂ）推奨される相対湿度域を示す推奨相対湿度条件、（ｃ）推奨される絶対湿度域を示す推奨絶対湿度条件、（ｄ）前記推奨温度条件及び前記推奨絶対湿度条件、のうち何れかを表示する。【選択図】図２
2020104427.tif 000002
【特許請求の範囲】
【請求項１】
筐体と、
前記筐体内に位置し、媒体に液体を吐出する吐出部と、
装置が設置される設置環境の推奨される推奨条件を表示する表示部と、を備え、
前記表示部は、
前記推奨条件として、
（ａ）推奨される温度域を示す推奨温度条件、
（ｂ）推奨される相対湿度域を示す推奨相対湿度条件、
（ｃ）推奨される絶対湿度域を示す推奨絶対湿度条件、
（ｄ）前記推奨温度条件及び前記推奨絶対湿度条件、
のうち何れかを表示することを特徴とする液体吐出装置。
【請求項２】
前記設置環境を示すパラメーターを取得する制御部を備え、
前記制御部は、取得した前記パラメーターと記憶する前記推奨条件とを比較し、前記パラメーターが前記推奨条件を満たさない場合に、前記設置環境の調整を促す表示を前記表示部に表示させることを特徴とする請求項１に記載の液体吐出装置。
【請求項３】
前記制御部は、前記推奨条件として前記絶対湿度条件を記憶し、前記パラメーターと前記絶対湿度条件とに基づいて、前記設置環境の調整を促す表示を前記表示部に表示させることを特徴とする請求項２に記載の液体吐出装置。
【請求項４】
筐体と、
前記筐体内に位置し、媒体に液体を吐出する吐出部と、
装置が設置される設置環境を示すパラメーターを取得する制御部と、
表示部と、を備え、
前記制御部は、前記パラメーターと、推奨される前記設置環境の推奨条件として、推奨される絶対湿度域を示す推奨絶対湿度条件とに基づいて、前記設置環境の調整を促す表示を前記表示部に表示させることを特徴とする液体吐出装置。
【請求項５】
前記制御部は、前記設置環境の調整を促す表示として、
（ｅ）前記設置環境の加湿又は除湿を促す表示、
（ｆ）前記設置環境の加熱又は冷却を促す表示、
のうち少なくとも一方を前記表示部に表示させることを特徴とする請求項３又は請求項４に記載の液体吐出装置。
【請求項６】
前記設置環境を検出する検出部を備え、
前記制御部は、前記検出部が検出した検出結果から前記パラメーターを取得することを特徴とする請求項２から請求項５の何れか一項に記載の液体吐出装置。
【請求項７】
前記制御部は、前記パラメーターの調整可能範囲を記憶し、
前記パラメーターが前記推奨条件を満たさない場合に、前記調整可能範囲内において前記設置環境の調整を促す表示を前記表示部に表示させることを特徴とする請求項２から請求項６の何れか一項に記載の液体吐出装置。
【請求項８】
前記制御部は、
前記設置環境の温度及び絶対湿度から構成される状態変数を観測し、
前記設置環境の調整が促された後の、前記設置環境の絶対湿度の変化にかかる絶対湿度変化情報を取得し、
前記状態変数と前記設置環境の調整を促す処理の内容と前記絶対湿度変化情報との組み合わせに基づいて作成される訓練データセットにしたがって、前記設置環境の調整を促した後の前記設置環境の絶対湿度の変化に関連付けられる条件を学習し、
当該条件に基づいて、前記状態変数と前記設置環境の調整を促す処理の内容と前記絶対湿度変化情報とに基づく情報を、前記表示部に表示させることを特徴とする請求項３から請求項７の何れか一項に記載の液体吐出装置。
【請求項９】
筐体と、
前記筐体内に位置し、媒体に液体を吐出する吐出部と、
装置が設置される設置環境を示すパラメーターを取得する制御部と、
表示部と、を備える液体吐出装置と通信可能な制御装置であって、
前記設置環境の温度及び絶対湿度から構成される状態変数を観測し、
前記設置環境の調整が促された後の、前記設置環境の絶対湿度の変化にかかる絶対湿度変化情報を取得し、
前記状態変数と前記設置環境の調整を促す処理の内容と前記絶対湿度変化情報との組み合わせに基づいて作成される訓練データセットにしたがって、前記設置環境の調整を促した後の前記設置環境の絶対湿度の変化に関連付けられる条件を学習し、
当該条件に基づいて、前記状態変数と前記設置環境の調整を促す処理の内容と前記絶対湿度変化情報とに基づく情報を、前記表示部に表示させる処理を前記制御部に実行させることを特徴とする液体吐出装置の制御装置。
【発明の詳細な説明】
【技術分野】
【０００１】
本発明は、液体吐出装置及び液体吐出装置の制御装置に関する。
【背景技術】
【０００２】
特許文献１には、液体吐出装置の一例である印刷機を備える印刷システムが記載されている。この印刷システムは、印刷機を適切に動作させるために、印刷機が設置される設置環境の推奨される温度条件と推奨される相対湿度条件とを表示する。
【先行技術文献】
【特許文献】
【０００３】
【特許文献１】特開２００７−５０６５１号公報
【発明の概要】
【発明が解決しようとする課題】
【０００４】
相対湿度は、温度に依存する。推奨される相対湿度条件を満たすように設置環境の相対湿度を調整した後に、推奨される温度条件を満たすように設置環境の温度を調整すると、設置環境の相対湿度が変化する。この場合、推奨される相対湿度条件を満たすように設置環境の相対湿度を再び調整する必要が生じることがある。このように、相対湿度が温度と連動するため、印刷機の設置環境を調整するユーザーの混乱を招くおそれがある。
【課題を解決するための手段】
【０００５】
上記課題を解決する液体吐出装置は、筐体と、前記筐体内に位置し、媒体に液体を吐出する吐出部と、装置が設置される設置環境の推奨される推奨条件を表示する表示部と、を備え、前記表示部は、前記推奨条件として、（ａ）推奨される温度域を示す推奨温度条件、（ｂ）推奨される相対湿度域を示す推奨相対湿度条件、（ｃ）推奨される絶対湿度域を示す推奨絶対湿度条件、（ｄ）前記推奨温度条件及び前記推奨絶対湿度条件、のうち何れかを表示する。
【０００６】
上記課題を解決する液体吐出装置は、筐体と、前記筐体内に位置し、媒体に液体を吐出する吐出部と、装置が設置される設置環境を示すパラメーターを取得する制御部と、表示部と、を備え、前記制御部は、前記パラメーターと、推奨される前記設置環境の推奨条件として、推奨される絶対湿度域を示す推奨絶対湿度条件とに基づいて、前記設置環境の調整を促す表示を前記表示部に表示させる。
【０００７】
上記課題を解決する液体吐出装置の制御装置は、筐体と、前記筐体内に位置し、媒体に液体を吐出する吐出部と、装置が設置される設置環境を示すパラメーターを取得する制御部と、表示部と、を備える液体吐出装置と通信可能な制御装置であって、前記設置環境の温度及び絶対湿度から構成される状態変数を観測し、前記設置環境の調整が促された後の、前記設置環境の絶対湿度の変化にかかる絶対湿度変化情報を取得し、前記状態変数と前記設置環境の調整を促す処理の内容と前記絶対湿度変化情報との組み合わせに基づいて作成される訓練データセットにしたがって、前記設置環境の調整を促した後の前記設置環境の絶対湿度の変化に関連付けられる条件を学習し、当該条件に基づいて、前記状態変数と前記設置環境の調整を促す処理の内容と前記絶対湿度変化情報とに基づく情報を、前記表示部に表示させる処理を前記制御部に実行させる。
【図面の簡単な説明】
【０００８】
【図１】液体吐出装置の第１実施形態を模式的に示す側面図。
【図２】表示画面の模式図。
【図３】調整処理のフローチャート。
【図４】制御部のブロック図。
【図５】液体吐出装置を制御する制御装置のブロック図。
【図６】第２実施形態における表示画面の模式図。
【図７】表示画面の変更例を示す模式図。
【発明を実施するための形態】
【０００９】
（第１実施形態）
以下、液体吐出装置の第１実施形態について図を参照しながら説明する。液体吐出装置は、例えば、用紙等の媒体に液体の一例であるインクを吐出することによって、文字、写真等の画像を記録するインクジェット式のプリンターである。
【００１０】
図１に示すように、液体吐出装置１１は、筐体１２を備える。液体吐出装置１１は、筐体１２を支持する基台１３を備える。第１実施形態においては、基台１３の上方に筐体１２が位置する。
【００１１】
液体吐出装置１１は、表示部１９を備える。表示部１９は、液体吐出装置１１に関する情報を表示する。第１実施形態の表示部１９は、例えば液晶画面である。表示部１９は、例えば筐体１２に設けられる。なお、本実施形態における表示部１９は筐体１２に設けられるが、表示部１９が筐体１２から独立していてもよい。
【００１２】
第１実施形態の液体吐出装置１１は、媒体９９を搬送する搬送部１４を備える。搬送部１４は、筐体１２内に設けられる。搬送部１４は、筐体１２外に載置された媒体９９を搬送経路１５に沿って搬送する。
【００１３】
液体吐出装置１１は、媒体９９が巻き重ねられたロール体１００を載置可能な載置部１６を備えてもよい。載置部１６は、例えば基台１３に取り付けられる。載置部１６は、液体が吐出される前の媒体９９が巻き重ねられたロール体１００を回転可能な状態で支持する。搬送部１４が駆動すると、ロール体１００から媒体９９が繰り出される。
【００１４】
液体吐出装置１１は、液体吐出装置１１が設置される設置面に載置されたロール体１００から繰り出される媒体９９に液体を吐出するように構成されてもよい。液体吐出装置１１は、液体吐出装置１１とは別の装置から繰り出される媒体９９に液体を吐出するように構成されてもよい。液体吐出装置１１は、ロール体１００から繰り出される媒体９９に液体を吐出する構成に限らない。
【００１５】
液体吐出装置１１は、記録した媒体９９を巻き取る巻取部１７を備えてもよい。巻取部１７は、例えば基台１３に取り付けられる。巻取部１７は、液体が吐出された媒体９９をロール体１００として巻き取る。液体吐出装置１１は、液体が吐出された媒体９９を液体吐出装置１１とは別の装置に搬送するように構成されてもよい。液体吐出装置１１は、液体が吐出された媒体９９を液体吐出装置１１とは別の装置に巻き取らせるように構成されてもよい。
【００１６】
液体吐出装置１１は、媒体９９にテンションを付与するテンションバー１８を備えてもよい。テンションバー１８は、媒体９９に接触することによって媒体９９にテンションを付与する。テンションバー１８が媒体９９にテンションを付与することにより、媒体９９に対して精度よく液体を着弾させることができる。
【００１７】
テンションバー１８は、例えば基台１３に取り付けられる。テンションバー１８は、基台１３に対して変位可能に取り付けられてもよい。こうすると、テンションバー１８を変位させることによって、媒体９９に付与するテンションの大きさを調節できる。
【００１８】
第１実施形態の液体吐出装置１１は、搬送経路１５を構成する第１支持部２１、第２支持部２２及び第３支持部２３を備える。第１支持部２１、第２支持部２２及び第３支持部２３は、搬送部１４によって搬送される媒体９９を支持する。搬送経路１５の上流から下流に向けて、第１支持部２１、第２支持部２２、第３支持部２３の順に位置する。すなわち、第１支持部２１は搬送経路１５の上流部分を構成し、第２支持部２２は搬送経路１５の中流部分を構成し、第３支持部２３は搬送経路１５の下流部分を構成する。第２支持部２２は、筐体１２内に位置する。
【００１９】
第１実施形態の搬送部１４は、第１ローラー２５と、第２ローラー２６とを有する。第１ローラー２５及び第２ローラー２６は、媒体９９を挟み込む状態で回転することにより媒体９９を搬送する。第１ローラー２５及び第２ローラー２６は、搬送経路１５において、第１支持部２１と第２支持部２２との間で媒体９９を挟み込むように位置する。
【００２０】
液体吐出装置１１は、媒体９９に液体を吐出する吐出部２８を備える。吐出部２８は、筐体１２内に位置する。第１実施形態の吐出部２８は、第２支持部２２と対向する位置に位置する。そのため、吐出部２８は、媒体９９において第２支持部２２に支持される部分に液体を吐出する。
【００２１】
第１実施形態の液体吐出装置１１は、吐出部２８を搭載するキャリッジ２９を備える。キャリッジ２９は、搬送される媒体９９に対して走査する。すなわち、第１実施形態の液体吐出装置１１は、吐出部２８が媒体９９に対して走査するシリアルプリンターである。液体吐出装置１１は、吐出部２８が長尺に設けられるラインプリンターでもよい。
【００２２】
第１実施形態の液体吐出装置１１は、筐体１２外の外気を筐体１２内に取り込む吸気機構３１を備える。吸気機構３１は、例えば吸気路３２とファン３３とを有する。ファン３３は、吸気路３２に位置する。ファン３３が駆動することにより、吸気路３２を通じて筐体１２外の外気が筐体１２内に取り込まれる。吸気機構３１により、筐体１２内を換気できる。
【００２３】
液体吐出装置１１は、媒体９９を加熱するヒーター３７を備えてもよい。ヒーター３７は、搬送経路１５において吐出部２８によって液体が吐出される位置よりも下流に位置する。そのため、ヒーター３７は、媒体９９において液体を吐出された後の部分を加熱する。ヒーター３７により、液体が吐出された媒体９９を乾燥させることができる。
【００２４】
第１実施形態のヒーター３７は、ヒーター管である。ヒーター３７は、第３支持部２３において媒体９９に接触する面である第３支持部２３の表面に対向するように位置する。ヒーター３７は、媒体９９において第３支持部２３に支持される部分を加熱する。これにより、媒体９９において液体が吐出された後の部分が乾燥される。ヒーター３７は、媒体９９において液体が吐出された後の部分を適切に乾燥するように制御される。例えば、ヒーター３７は、媒体９９に吐出された液体量に基づいて制御される。この場合、媒体９９に吐出される液体量が多いほど、ヒーター３７の出力が大きくなる。
【００２５】
第１実施形態の液体吐出装置１１は、ヒーター３７を有する乾燥機構３８を備える。乾燥機構３８は、ヒーター３７を収容するケース３９と、ケース３９内において気体を循環させる循環部４０とを有する。ケース３９は、第３支持部２３と対向するように位置する。
【００２６】
循環部４０は、気体が流れる循環路４１と、循環路４１に位置するファン４２とを有する。循環路４１は、気体を取り込む吸気口４３と、気体を送り出す送風口４４とを繋ぐ流路である。循環路４１は、ヒーター３７を囲むように延びる。吸気口４３は、搬送経路１５において第３支持部２３の下流部分と対向するように位置する。送風口４４は、搬送経路１５において第３支持部２３の上流部分と対向するように位置する。循環部４０は、ヒーター３７によって加熱された気体をケース３９内において循環させる。これにより、媒体９９の乾燥が促進される。
【００２７】
乾燥機構３８は、ヒーター３７の熱を第３支持部２３に向けて反射する反射板４５を有してもよい。こうすると、ヒーター３７の熱を媒体９９に効率よく伝えることができる。
液体吐出装置１１は、液体吐出装置１１が設置される設置環境を検出する検出部４７を備えてもよい。検出部４７は、設置環境の温度を検出するように構成されてもよいし、設置環境の相対湿度を検出するように構成されてもよい。検出部４７は、設置環境の温度及び設置環境の相対湿度の双方を検出するように構成されてもよい。この場合、検出部４７の検出結果から設置環境の絶対湿度を特定できる。検出部４７は、設置環境の絶対湿度を直接検出するように構成されてもよい。
【００２８】
第１実施形態の検出部４７は、吸気路３２に位置する。こうすると、ファン３３によって外気が取り込まれるため、検出部４７により設置環境を効率よく検出できる。検出部４７は、設置環境を検出可能な位置に設けられていればよく、例えば、基台１３に取り付けられていてもよい。
【００２９】
液体吐出装置１１は、制御部４８を備える。第１実施形態の制御部４８は、液体吐出装置１１を統括的に制御する。制御部４８は、例えばＣＰＵ、メモリーなどによって構成される。制御部４８は、メモリーが記憶するプログラムをＣＰＵが実行することにより、液体吐出装置１１を制御する。
【００３０】
第１実施形態の制御部４８は、設置環境を示すパラメーターを取得する。制御部４８は、検出部４７が検出した検出結果から設置環境を示すパラメーターを取得してもよい。すなわち、制御部４８は、検出部４７が検出した検出結果から設置環境の温度を取得してもよいし、設置環境の相対湿度を取得してもよいし、設置環境の絶対湿度を取得してもよい。制御部４８は、取得した設置環境の温度と設置環境の相対湿度とに基づいて設置環境の絶対湿度を取得してもよい。
【００３１】
制御部４８は、例えばユーザーから入力される情報から設置環境を示すパラメーターを取得してもよい。温度計を用いてユーザーが計測した温度が制御部４８に入力されてもよいし、相対湿度計を用いてユーザーが計測した相対湿度が制御部４８に入力されてもよい。絶対湿度計を用いてユーザーが計測した絶対湿度が制御部４８に入力されてもよい。この場合、ユーザーが液体吐出装置１１を操作することによって制御部４８に入力されてもよいし、液体吐出装置１１と通信可能な外部の装置をユーザーが操作することによって入力されてもよい。液体吐出装置１１と通信可能な外部の装置によって検出された設置環境の情報が制御部４８に入力されてもよい。
【００３２】
一般的に、液体吐出装置１１においては、推奨される設置環境の推奨条件が定められている。液体吐出装置１１は、設置環境が推奨条件を満たすことにより、適切に画像を記録できる。例えば、液体吐出装置１１は、設置環境が推奨条件を満たすことにより、高品質な画像を記録できる。
【００３３】
表示部１９は、推奨される設置環境の推奨条件を表示してもよい。こうすると、ユーザーは、表示部１９に表示される推奨条件を確認することにより、推奨条件を満たすように設置環境を調整できる。
【００３４】
表示部１９は、推奨条件として、推奨される温度域を示す推奨温度条件を表示してもよい。例えば、表示部１９は、推奨温度条件として「２０℃から２３℃」のように推奨される温度域を表示する。この場合、ユーザーは、設置環境の温度が２０℃から２３℃の範囲内となるように設置環境を調整する。この場合においては、温度を調整するだけで済むため、ユーザーにとって設置環境を調整しやすい。
【００３５】
表示部１９は、推奨条件として、推奨される相対湿度域を示す推奨相対湿度条件を表示してもよい。例えば、表示部１９は、推奨相対湿度条件として「５０％から５８％」のように推奨される相対湿度域を表示する。この場合、ユーザーは、設置環境の相対湿度が５０％から５８％の範囲内となるように設置環境を調整する。この場合においては、相対湿度を調整するだけで済むため、ユーザーにとって設置環境を調整しやすい。
【００３６】
表示部１９は、推奨条件として、推奨される絶対湿度域を示す推奨絶対湿度条件を表示してもよい。例えば、表示部１９は、推奨絶対湿度条件として「８．７ｇ／ｍ＾３から１１．９ｇ／ｍ＾３」のように推奨される絶対湿度域を表示する。この場合、ユーザーは、設置環境の絶対湿度が８．７ｇ／ｍ＾３から１１．９ｇ／ｍ＾３の範囲内となるように設置環境を調整する。この場合においては、絶対湿度を調整するだけで済むため、ユーザーにとって設置環境を調整しやすい。
【００３７】
表示部１９は、推奨条件として、推奨温度条件及び推奨絶対湿度条件を表示してもよい。例えば、表示部１９は、推奨温度条件として「２０℃から２３℃」のように推奨される温度域と、推奨絶対湿度条件として「８．７ｇ／ｍ＾３から１１．９ｇ／ｍ＾３」のように推奨される絶対湿度域とを表示する。この場合、ユーザーは、温度が２０℃から２３℃の範囲内且つ絶対湿度が８．７ｇ／ｍ＾３から１１．９ｇ／ｍ＾３の範囲内となるように設置環境を調整する。
【００３８】
温度及び絶対湿度は、互いに独立したパラメーターである。そのため、ユーザーは、温度と絶対湿度とを独立して調整できる。温度を上げるためには暖房を入れればよいし、温度を下げるためには冷房を入れればよい。絶対湿度を上げるためには加湿をすればよいし、絶対湿度を下げるためには除湿をすればよい。
【００３９】
一方、相対湿度は、温度に依存するパラメーターである。そのため、温度が変化すると、相対湿度も変化する。例えば、推奨条件として推奨温度条件及び推奨相対湿度条件を表示部１９が表示する場合、ユーザーは、温度及び相対湿度が推奨条件を満たすように設置環境を調整する。このとき、相対湿度を調整した後に温度を調整すると、温度を調整することにより相対湿度が変化する。この場合、再び相対湿度を調整する必要が生じることがある。また、温度を調整するだけで推奨条件を満たすことができるにもかかわらず、無用な相対湿度の調整をするおそれがある。これに対し、上記の推奨条件を表示する場合、ユーザーにとって設置環境の調整がしやすい。
【００４０】
制御部４８は、取得したパラメーターと推奨条件とを比較してもよい。この場合、制御部４８は、推奨条件を記憶する。制御部４８は、取得したパラメーターと推奨条件とに基づいて、設置環境が推奨条件を満たすか否かを判定する。第１実施形態の制御部４８は、設置環境が推奨条件を満たさない場合、設置環境の調整を促す。第１実施形態において、制御部４８は、推奨条件として推奨温度条件及び推奨絶対湿度条件を記憶する。
【００４１】
図２に示すように、表示部１９は、表示画面６１を表示する。表示画面６１には、例えば、推奨条件が表示される。第１実施形態においては、表示画面６１に推奨温度条件及び推奨絶対湿度条件が表示される。表示画面６１に設置環境を示すパラメーターが表示されてもよい。第１実施形態において、制御部４８は、取得したパラメーターを表示部１９に表示させる。そのため、表示画面６１に設置環境の温度及び設置環境の絶対湿度が表示される。こうすると、ユーザーは、表示画面６１を見ることにより、推奨条件を満たすように設置環境を調整できる。
【００４２】
第１実施形態の制御部４８は、設置環境の温度と推奨温度条件とに基づいて、設置環境が推奨温度条件を満たすか否かを判定する。このとき、制御部４８は、設置環境の温度と推奨温度条件とを比較する。第１実施形態の制御部４８は、設置環境の絶対湿度と推奨絶対湿度条件とに基づいて、設置環境が推奨絶対湿度条件を満たすか否かを判定する。このとき、制御部４８は、設置環境の絶対湿度と推奨絶対湿度とを比較する。すなわち、第１実施形態の制御部４８は、設置環境が推奨温度条件及び推奨絶対湿度条件の双方を満たすか否かを判定する。
【００４３】
制御部４８は、例えば、設置環境の調整を促す表示を表示部１９に表示させる。第１実施形態においては、設置環境が推奨条件を満たさない場合、設置環境の調整を促す調整メッセージ６２が表示画面６１に表示される。ユーザーは、調整メッセージ６２を確認し、設置環境を調整する。
【００４４】
第１実施形態の制御部４８は、設置環境の調整を促す表示として、設置環境の加湿又は除湿を促す表示を表示部１９に表示させる。例えば、設置環境の絶対湿度が推奨絶対湿度条件を上回る場合、設置環境の除湿を促す表示を表示部１９に調整メッセージ６２として表示させる。設置環境の絶対湿度が推奨絶対湿度条件を下回る場合、設置環境の加湿を促す表示を表示部１９に調整メッセージ６２として表示させる。
【００４５】
第１実施形態の制御部４８は、設置環境の調整を促す表示として、設置環境の加熱又は冷却を促す表示を表示部１９に表示させる。例えば、設置環境の温度が推奨温度条件を上回る場合、設置環境の冷却を促す表示を表示部１９に調整メッセージ６２として表示させる。設置環境の温度が推奨温度条件を下回る場合、設置環境の加熱を促す表示を表示部１９に調整メッセージ６２として表示させる。設置環境が推奨温度条件及び推奨絶対湿度条件の双方を満たさない場合、設置環境の加湿又は除湿を促す表示と、設置環境の加熱又は冷却を促す表示とが調整メッセージ６２として表示部１９に表示される。
【００４６】
制御部４８は、設置環境を示すパラメーターの調整可能範囲を記憶してもよい。この場合、制御部４８は、パラメーターが推奨条件を満たさない場合に、調整可能範囲内において設置環境の調整を促してもよい。調整可能範囲は、ユーザーが制御部４８に入力することによって、制御部４８に記憶される。例えば、設置環境の温度の調整可能範囲として１７℃から２２℃を記憶し、設置環境の絶対湿度の調整可能範囲として２．０ｇ／ｍ＾３から８．０ｇ／ｍ＾３を記憶する場合、制御部４８は、絶対湿度を調整可能範囲内で調整しても、設置環境は推奨絶対湿度条件を満たすことができないことを把握できる。そのため、設置環境が推奨絶対湿度条件を満たしていない場合、制御部４８は、絶対湿度の調整を促さなくてもよい。制御部４８は、設置環境が推奨温度条件を満たさない場合に温度の調整を促す。パラメーターの調整可能範囲を記憶することは、設置環境を調整する手段としてエアコンがある一方で加湿器がない場合、設置環境を調整する手段として冷暖房能力の低いエアコンと加湿能力の低い加湿器とがある場合など、温度及び絶対湿度を調整するにあたって制限がある場合に有用である。
【００４７】
第１実施形態の制御部４８は、設置環境を調整するための調整処理を実行する。第１実施形態において、調整処理は、液体吐出装置１１が稼動する間において所定時間ごとに繰り返し実行されてもよいし、画像を記録するためのジョブデータが入力された際に実行されてもよい。
【００４８】
図３に示すように、調整処理を実行する制御部４８は、ステップＳ１１において、設置環境を示すパラメーターを取得する。第１実施形態においては、検出部４７の検出結果から設置環境の温度と設置環境の相対湿度とを取得する。制御部４８は、取得した温度と相対湿度とから設置環境の絶対湿度を取得する。制御部４８は、ステップＳ１１の処理を終えると、ステップＳ１２に処理を移行する。
【００４９】
制御部４８は、ステップＳ１２において、取得したパラメーターと記憶する推奨条件とを比較する。第１実施形態においては、温度と推奨温度条件とを比較し、絶対湿度と推奨絶対湿度条件とを比較する。制御部４８は、ステップＳ１２の処理を終えると、ステップＳ１３に処理を移行する。
【００５０】
制御部４８は、ステップＳ１３において、パラメーターが推奨条件を満たすか否かを判定する。制御部４８は、パラメーターが推奨条件を満たす場合、調整処理を終了する。第１実施形態においては、温度が推奨温度条件を満たす且つ絶対湿度が推奨絶対湿度条件を満たす場合に、調整処理を終了する。制御部４８は、パラメーターが推奨条件を満たさない場合、ステップＳ１４に処理を移行する。すなわち、制御部４８は、温度が推奨温度条件を満たさない又は絶対湿度が推奨絶対湿度条件を満たさない場合に、ステップＳ１４に処理を移行する。
【００５１】
制御部４８は、ステップＳ１４において、設定環境の調整を促す。このとき、制御部４８は、パラメーターと推奨条件とに基づいて設定環境の調整を促す。例えば、温度が推奨温度条件を満たさない場合には温度の調整を促す。絶対湿度が推奨絶対湿度条件を満たさない場合には絶対湿度の調整を促す。制御部４８は、ステップＳ１４の処理を終えると、調整処理を終了する。
【００５２】
機械学習する機械学習部によって表示部１９の表示が制御されてもよい。例えば、液体吐出装置１１が備える制御部４８が機械学習部として機能してもよい。この場合、制御部４８は、設置環境の温度及び設置環境の絶対湿度から構成される状態変数を観測し、設置環境の調整が促された後の、設置環境の絶対湿度の変化にかかる絶対湿度変化情報を取得する。制御部４８は、状態変数と設置環境の調整を促す処理の内容と絶対湿度変化情報との組み合わせに基づいて作成される訓練データセットにしたがって、設置環境の調整を促した後の設置環境の絶対湿度の変化に関連付けられる条件を学習する。制御部４８は、学習したその条件に基づいて、状態変数と設置環境の調整を促す処理の内容と絶対湿度変化情報とに基づく情報を表示部１９に表示する。こうすると、ユーザーにとって調整環境を調整しやすい情報を表示部１９に表示できる。
【００５３】
図４に示すように、機械学習部として機能する制御部４８は、状態観測部５１と、絶対湿度変化情報取得部５２と、学習部５３とを有する。状態観測部５１は、設置環境の温度及び設置環境の絶対湿度から構成される状態変数を観測する。第１実施形態の状態観測部５１は、検出部４７の検出結果から設置環境の温度及び設置環境の絶対湿度を観測する。
【００５４】
絶対湿度変化情報取得部５２は、設置環境の調整を促した後の設置環境の絶対湿度の変化にかかる絶対湿度変化情報を取得する。絶対湿度変化情報は、設置環境の調整を促す前の絶対湿度と設置環境の調整を促した後の絶対湿度とを、制御部４８が比較することによって得られる情報である。すなわち、絶対湿度変化情報は、設置環境の調整によって絶対湿度がどのように変化したかを示す情報である。
【００５５】
学習部５３は、状態観測部５１によって観測された状態変数と、設置環境の調整を促す処理の内容と、絶対湿度変化情報取得部５２によって取得された絶対湿度変化情報との組み合わせに基づいて作成される訓練データセットにしたがって、設置環境の調整を促した後の絶対湿度の変化に関連付けられる条件を学習する。第１実施形態において、設置環境の調整を促す処理の内容とは、表示部１９に表示される調整メッセージ６２のことである。学習部５３が用いる学習アルゴリズムはどのようなものを用いてもよい。学習アルゴリズムとして、例えば、教師あり学習、教師なし学習、強化学習がある。
【００５６】
制御部４８は、設置環境の調整を促した後の絶対湿度の変化に関連付けられる条件に基づいて、状態変数と設置環境の調整を促す処理の内容と絶対湿度変化情報とに基づく情報を表示部１９に表示する。例えば、制御部４８は、学習部５３が学習した条件に基づいて、設置環境の調整を促す表示を表示部１９に表示する。
【００５７】
図５に示すように、液体吐出装置１１と通信可能な制御装置１１１が機械学習部として機能してもよい。制御装置１１１は、液体吐出装置１１と接続されることにより液体吐出装置１１を制御可能となる。制御装置１１１は、例えばコンピューターであり、ＣＰＵ、メモリーなどを備える。制御装置１１１は、状態観測部５１と、絶対湿度変化情報取得部５２と、学習部５３とを備える。
【００５８】
制御装置１１１は、設置環境の温度及び湿度から構成される状態変数を観測し、設置環境の調整が促された後の、設置環境の絶対湿度の変化にかかる絶対湿度変化情報を取得する。制御装置１１１は、状態変数と設置環境の調整を促す処理の内容と絶対湿度変化情報との組み合わせに基づいて作成される訓練データセットにしたがって、設置環境の調整を促した後の設置環境の絶対湿度の変化に関連付けられる条件を学習する。制御装置１１１は、学習したその条件に基づいて、状態変数と設置環境の調整を促す処理の内容と絶対湿度変化情報とに基づく情報を、表示部１９に表示させる処理を制御部４８に実行させる。こうすると、ユーザーにとって設置環境を調整しやすい情報を表示できる。
【００５９】
次に、上記第１実施形態の作用及び効果について説明する。
（１）表示部１９は、推奨条件として、（ａ）推奨される温度域を示す推奨温度条件、（ｂ）推奨される相対湿度域を示す推奨相対湿度条件、（ｃ）推奨される絶対湿度域を示す推奨絶対湿度条件、（ｄ）推奨される温度域を示す推奨温度条件及び推奨される絶対湿度域を示す推奨絶対湿度条件、のうち何れかを表示する。
【００６０】
一般的に、液体吐出装置１１においては、適切に動作するために推奨される設置環境の推奨条件が定められている。推奨条件として表示部１９が推奨温度条件を表示する場合、ユーザーは、設置環境の温度が推奨温度条件を満たすように設置環境を調整する。推奨条件として表示部１９が推奨相対湿度条件を表示する場合、ユーザーは、設置環境の相対湿度が推奨相対湿度条件を満たすように設置環境を調整する。推奨条件として表示部１９が推奨絶対湿度条件を表示する場合、ユーザーは、設置環境の絶対湿度が推奨絶対湿度条件を満たすように設置環境を調整する。このように、表示部１９が（ａ）、（ｂ）、（ｃ）の何れかの条件を表示する場合、調整するパラメーターが１つであるため、ユーザーにとって設置環境を調整しやすい。
【００６１】
推奨条件として表示部１９が推奨温度条件及び推奨絶対湿度条件を表示する場合、ユーザーは、設置環境の温度が推奨温度を満たすように設置環境を調整し、設置環境の絶対湿度が推奨絶対湿度条件を満たすように設置環境を調整する。相対湿度は温度に依存するのに対し、絶対湿度は温度に依存しない。すなわち、温度及び絶対湿度はそれぞれ独立している。そのため、ユーザーは、温度と絶対湿度とをそれぞれ個別に調整できる。このように、表示部１９が（ｄ）の条件を表示する場合、調整する２つのパラメーターが互いに独立しているため、ユーザーにとって設置環境を調整しやすい。
【００６２】
（２）制御部４８は、取得したパラメーターと記憶する推奨条件とを比較し、パラメーターが推奨条件を満たさない場合に、設置環境の調整を促す。これにより、設置環境の調整が必要であるか否かをユーザーに知らせることができる。
【００６３】
（３）制御部４８は、推奨条件として絶対湿度条件を記憶し、パラメーターと絶対湿度条件とに基づいて、設置環境の調整を促す。これにより、絶対湿度条件に基づいて、設置環境の調整が必要であるか否かをユーザーに知らせることができる。
【００６４】
（４）制御部４８は、設置環境の調整を促す表示として、（ｅ）設置環境の加湿又は除湿を促す表示、（ｆ）設置環境の加熱又は冷却を促す表示、のうち少なくとも一方を表示部１９に表示させる。これにより、設置環境を調整する具体的な方法をユーザーに知らせることができる。
【００６５】
（５）制御部４８は、検出部４７が検出した検出結果からパラメーターを取得する。これにより、制御部４８は、外部の装置を介することなく設置環境を示すパラメーターを取得できる。
【００６６】
（６）制御部４８は、パラメーターが推奨条件を満たさない場合に、調整可能範囲内において設置環境の調整を促す。これにより、調整可能範囲に基づいて適切な設置環境の調整を促すことができる。
【００６７】
（７）制御部４８は、設置環境の温度及び絶対湿度から構成される状態変数を観測し、設置環境の調整が促された後の、設置環境の絶対湿度の変化にかかる絶対湿度変化情報を取得し、状態変数と設置環境の調整を促す処理の内容と絶対湿度変化情報との組み合わせに基づいて作成される訓練データセットにしたがって、設置環境の調整を促した後の設置環境の絶対湿度の変化に関連付けられる条件を学習し、当該条件に基づいて、状態変数と設置環境の調整を促す処理の内容と絶対湿度変化情報とに基づく情報を、表示部１９に表示させる。これにより、ユーザーにとって設置環境を調整しやすい情報を表示できる。
【００６８】
（８）制御装置１１１は、設置環境の温度及び絶対湿度から構成される状態変数を観測し、設置環境の調整が促された後の、設置環境の絶対湿度の変化にかかる絶対湿度変化情報を取得し、状態変数と設置環境の調整を促す処理の内容と絶対湿度変化情報との組み合わせに基づいて作成される訓練データセットにしたがって、設置環境の調整を促した後の設置環境の絶対湿度の変化に関連付けられる条件を学習し、当該条件に基づいて、状態変数と設置環境の調整を促す処理の内容と絶対湿度変化情報とに基づく情報を、表示部１９に表示させる処理を制御部４８に実行させる。これにより、ユーザーにとって設置環境を調整しやすい情報を表示できる。
【００６９】
（第２実施形態）
次に、液体吐出装置１１の第２実施形態について説明する。第２実施形態においては、第１実施形態と比較して、制御部４８が記憶する推奨条件が異なるのみで、その他の構成については同様である。そのため、第２実施形態においては、第１実施形態と異なる構成について主に説明する。第２実施形態の制御部４８は、推奨条件として推奨絶対湿度条件を記憶する。
【００７０】
第２実施形態の制御部４８は、取得したパラメーターと推奨絶対湿度条件とに基づいて、設置環境が推奨絶対湿度条件を満たすか否かを判定する。このとき、制御部４８は、取得した設置環境の絶対湿度と推奨絶対湿度条件とを比較する。
【００７１】
図６に示すように、第２実施形態において、表示部１９は、推奨条件として推奨絶対湿度条件を表示する。表示部１９は、取得した設置環境のパラメーターとして設置環境の絶対湿度を表示する。
【００７２】
制御部４８は、設置環境が推奨絶対湿度条件を満たさない場合、設置環境の調整を促す表示を表示部１９に表示させる。このとき、表示画面６１に設置環境の調整を促す調整メッセージ６２が表示される。ユーザーは、調整メッセージ６２を確認し、設置環境を調整する。
【００７３】
第２実施形態の制御部４８は、設置環境の調整を促す表示として、設置環境の加湿又は除湿を促す表示を表示部１９に表示させる。例えば、設置環境の絶対湿度が推奨絶対湿度条件を上回る場合、設置環境の除湿を促す表示を表示部１９に調整メッセージ６２として表示させる。設置環境の絶対湿度が推奨絶対湿度条件を下回る場合、設置環境の加湿を促す表示を表示部１９に調整メッセージ６２として表示させる。
【００７４】
第２実施形態において、設置環境の絶対湿度が推奨絶対湿度条件を上回る場合に、設置環境の冷却を促す表示を表示部１９に調整メッセージ６２として表示させてもよい。設置環境の温度を下げることにより、設置環境中の水蒸気が結露することがある。これにより、設置環境の湿度が低くなる。すなわち、間接的に設置環境の除湿を行うことができる。これは、設置環境を直接除湿する手段がないユーザーにとって有用である。
【００７５】
第２実施形態において、設置環境の絶対湿度が推奨絶対湿度条件を下回る場合に、設置環境の加熱を促す表示を表示部１９に調整メッセージ６２として表示させてもよい。設置環境の温度を上げることにより、液体吐出装置１１内に存在する液体の蒸発が促進される。これにより、設置環境の湿度が高くなる。すなわち、間接的に設置環境の加湿を行うことができる。これは、設置環境を直接加湿する手段がないユーザーにとって有用である。
【００７６】
次に、上記第２実施形態の作用及び効果について説明する。なお、第２実施形態によれば、上述した（５）から（８）の効果を得ることができる。
（９）液体吐出装置１１が適切に動作するためには、設置環境の温度よりも設置環境の湿度が肝要である。設置環境の湿度が高いと、媒体９９が湿潤する。この場合、吐出部２８から吐出された液体が媒体９９に対して適切に定着しない場合がある。設置環境の湿度が低いと、空気が乾燥する。この場合、空気中の塵埃が吐出部２８に付着しやすくなり、吐出部２８が適切に液体を吐出できない場合がある。
【００７７】
湿度を表示する指標として、相対湿度と絶対湿度とがある。相対湿度は温度に依存する一方、絶対湿度は温度に依存しない。すなわち、相対湿度に基づいて設置環境を調整する場合、温度を一定に保つ必要がある。絶対湿度に基づいて設置環境を調整する場合、温度を一定に保つ必要がない。そのため、ユーザーは、設置環境の温度を気にすることなく設置環境の絶対湿度を調整できる。このように、制御部４８が、設置環境を示すパラメーターと推奨絶対湿度条件とに基づいて、設置環境の調整を促す表示を表示部１９に表示させると、ユーザーにとって設置環境を調整しやすい。
【００７８】
第１実施形態及び第２実施形態は、以下のように変更して実施することができる。第１実施形態、第２実施形態及び以下の変更例は、技術的に矛盾しない範囲で互いに組み合わせて実施することができる。
【００７９】
・制御部４８は、推奨条件を表示部１９に表示させずに、設置環境の調整を促す表示を表示部１９に表示させてもよい。
図７に示すように、この変更例において、制御部４８は、取得したパラメーターと記憶する推奨条件とに基づき、調整メッセージ６２を表示する。例えば、記憶する推奨絶対湿度条件が８．７ｇ／ｍ＾３から１１．９ｇ／ｍ＾３で、取得した設置環境の絶対湿度が６．０ｇ／ｍ＾３である場合、制御部４８は、調整メッセージ６２として「絶対湿度を２．７ｇ／ｍ＾３から５．９ｇ／ｍ＾３の範囲内で上げてください」と表示する。この場合、調整メッセージ６２として表示される通りに設置環境を調整すればよいため、ユーザーにとって設置環境を調整しやすい。こうすると、表示部１９が設置環境のパラメーターと推奨条件とを表示せずとも、ユーザーに設置環境を調整させることができる。
【００８０】
・制御部４８は、ユーザーに設置環境の調整を促すために、所定の情報を表示部１９に表示させるが、他の方法で、ユーザーに対して設置環境の調整が促されてもよい。例えば、音声で設置環境の調整が促されてもよい。
【００８１】
・推奨条件は筐体１２に印字されていてもよい。この場合、筐体１２において印字された箇所が表示部１９となる。
・媒体９９は、ロール体１００から繰り出される長尺紙に限らず、単票紙でもよい。媒体９９は、用紙に限らず、布帛でもよいし、プラスチックフィルムでも金属フィルムでもよい。
【００８２】
・吐出部２８が吐出する液体はインクに限らず、例えば機能材料の粒子が液体に分散又は混合されてなる液状体などでもよい。例えば、吐出部２８が液晶ディスプレイ、エレクトロルミネッセンスディスプレイ及び面発光ディスプレイの製造などに用いられる電極材または画素材料などの材料を分散または溶解のかたちで含む液状体を吐出してもよい。
【００８３】
・液体吐出装置１１が備える構成や機能の一部を、液体吐出装置１１に接続される別の装置に持たせてもよい。より具体的には、表示部１９が表示する情報を、液体吐出装置１１に外部接続される表示装置に表示させてもよい。また、液体吐出装置１１が備える制御部４８による制御が、液体吐出装置１１に外部接続される任意の制御装置によって行われてもよい。また、制御装置１１１が備える構成や機能の一部を、制御装置１１１に接続される別の装置に持たせてもよい。
【００８４】
以下に、上述した実施形態及び変更例から把握される技術的思想及びその作用効果を記載する。
液体吐出装置は、筐体と、前記筐体内に位置し、媒体に液体を吐出する吐出部と、装置が設置される設置環境の推奨される推奨条件を表示する表示部と、を備え、前記表示部は、前記推奨条件として、（ａ）推奨される温度域を示す推奨温度条件、（ｂ）推奨される相対湿度域を示す推奨相対湿度条件、（ｃ）推奨される絶対湿度域を示す推奨絶対湿度条件、（ｄ）前記推奨温度条件及び前記推奨絶対湿度条件、のうち何れかを表示する。
【００８５】
一般的に、液体吐出装置においては、適切に動作するために推奨される設置環境の推奨条件が定められている。推奨条件として表示部が推奨温度条件を表示する場合、ユーザーは、設置環境の温度が推奨温度条件を満たすように設置環境を調整する。推奨条件として表示部が推奨相対湿度条件を表示する場合、ユーザーは、設置環境の相対湿度が推奨相対湿度条件を満たすように設置環境を調整する。推奨条件として表示部が推奨絶対湿度条件を表示する場合、ユーザーは、設置環境の絶対湿度が推奨絶対湿度条件を満たすように設置環境を調整する。このように、表示部が（ａ）、（ｂ）、（ｃ）の何れかの条件を表示する場合、表示部が表示する情報が１つであるため、ユーザーにとって設置環境を調整しやすい。
【００８６】
推奨条件として表示部が推奨温度条件及び推奨絶対湿度条件を表示する場合、ユーザーは、設置環境の温度が推奨温度を満たすように設置環境を調整し、設置環境の絶対湿度が推奨絶対湿度条件を満たすように設置環境を調整する。相対湿度は温度に依存するのに対し、絶対湿度は温度に依存しない。すなわち、温度及び絶対湿度はそれぞれ独立している。そのため、ユーザーは、温度と絶対湿度とをそれぞれ個別に調整できる。このように、表示部が（ｄ）の条件を表示する場合、表示部が表示する２つの情報は互いに独立しているため、ユーザーにとって設置環境を調整しやすい。
【００８７】
上記液体吐出装置においては、前記設置環境を示すパラメーターを取得する制御部を備え、前記制御部は、取得した前記パラメーターと記憶する前記推奨条件とを比較し、前記パラメーターが前記推奨条件を満たさない場合に、前記設置環境の調整を促す表示を前記表示部に表示させてもよい。
【００８８】
この構成により、設置環境の調整が必要であるか否かをユーザーに知らせることができる。
上記液体吐出装置において、前記制御部は、前記推奨条件として前記絶対湿度条件を記憶し、前記パラメーターと前記絶対湿度条件とに基づいて、前記設置環境の調整を促す表示を前記表示部に表示させてもよい。
【００８９】
この構成により、絶対湿度条件に基づいて、設置環境の調整が必要であるか否かをユーザーに知らせることができる。
液体吐出装置は、筐体と、前記筐体内に位置し、媒体に液体を吐出する吐出部と、装置が設置される設置環境を示すパラメーターを取得する制御部と、表示部と、を備え、前記制御部は、前記パラメーターと、推奨される前記設置環境の推奨条件として、推奨される絶対湿度域を示す推奨絶対湿度条件とに基づいて、前記設置環境の調整を促す表示を前記表示部に表示させる。
【００９０】
一般的に、液体吐出装置においては、適切に動作するために推奨される設置環境の推奨条件が定められている。液体吐出装置が適切に動作するためには、設置環境の温度よりも設置環境の湿度が肝要である。
【００９１】
設置環境の湿度が高いと、媒体が湿潤する。この場合、吐出部から吐出された液体が媒体に対して適切に定着しない場合がある。設置環境の湿度が低いと、空気が乾燥する。この場合、空気中の塵埃が吐出部に付着しやすくなり、吐出部が適切に液体を吐出できない場合がある。
【００９２】
湿度を表示する指標として、相対湿度と絶対湿度とがある。相対湿度は温度に依存する一方、絶対湿度は温度に依存しない。そのため、相対湿度に基づいて設置環境を調整する場合、温度を一定に保つ必要がある。絶対湿度に基づいて設置環境を調整する場合、温度を一定に保つ必要がない。すなわち、ユーザーは、設置環境の温度を気にすることなく設置環境の絶対湿度を調整できる。このように、設置環境を示すパラメーターと推奨絶対湿度条件とに基づいて、設置環境の調整を促す表示を制御部が表示部に表示させると、ユーザーにとって設置環境を調整しやすい。
【００９３】
上記液体吐出装置において、前記制御部は、前記設置環境の調整を促す表示として、（ｅ）前記設置環境の加湿又は除湿を促す表示、（ｆ）前記設置環境の加熱又は冷却を促す表示、のうち少なくとも一方を前記表示部に表示させてもよい。
【００９４】
この構成により、設置環境を調整する具体的な方法をユーザーに知らせることができる。
上記液体吐出装置においては、前記設置環境を検出する検出部を備え、前記制御部は、前記検出部が検出した検出結果から前記パラメーターを取得してもよい。
【００９５】
この構成により、制御部は、外部の装置を介することなくパラメーターを取得できる。
上記液体吐出装置において、前記制御部は、前記パラメーターの調整可能範囲を記憶し、前記パラメーターが前記推奨条件を満たさない場合に、前記調整可能範囲内において前記設置環境の調整を促す表示を前記表示部に表示させてもよい。
【００９６】
この構成により、調整可能範囲に基づいて適切な設置環境の調整を促すことができる。
上記液体吐出装置において、前記制御部は、前記設置環境の温度及び絶対湿度から構成される状態変数を観測し、前記設置環境の調整が促された後の、前記設置環境の絶対湿度の変化にかかる絶対湿度変化情報を取得し、前記状態変数と前記設置環境の調整を促す処理の内容と前記絶対湿度変化情報との組み合わせに基づいて作成される訓練データセットにしたがって、前記設置環境の調整を促した後の前記設置環境の絶対湿度の変化に関連付けられる条件を学習し、当該条件に基づいて、前記状態変数と前記設置環境の調整を促す処理の内容と前記絶対湿度変化情報とに基づく情報を、前記表示部に表示させてもよい。
【００９７】
これによれば、ユーザーにとって設置環境を調整しやすい情報を表示できる。
上記液体吐出装置の制御装置は、筐体と、前記筐体内に位置し、媒体に液体を吐出する吐出部と、装置が設置される設置環境を示すパラメーターを取得する制御部と、表示部と、を備える液体吐出装置と通信可能な制御装置であって、前記設置環境の温度及び絶対湿度から構成される状態変数を観測し、前記設置環境の調整が促された後の、前記設置環境の絶対湿度の変化にかかる絶対湿度変化情報を取得し、前記状態変数と前記設置環境の調整を促す処理の内容と前記絶対湿度変化情報との組み合わせに基づいて作成される訓練データセットにしたがって、前記設置環境の調整を促した後の前記設置環境の絶対湿度の変化に関連付けられる条件を学習し、当該条件に基づいて、前記状態変数と前記設置環境の調整を促す処理の内容と前記絶対湿度変化情報とに基づく情報を、前記表示部に表示させる処理を前記制御部に実行させる。
【００９８】
この構成により、ユーザーにとって設置環境を調整しやすい情報を表示できる。
【符号の説明】
【００９９】
１１…液体吐出装置、１２…筐体、１３…基台、１４…搬送部、１５…搬送経路、１６…載置部、１７…巻取部、１８…テンションバー、１９…表示部、２１…第１支持部、２２…第２支持部、２３…第３支持部、２５…第１ローラー、２６…第２ローラー、２８…吐出部、２９…キャリッジ、３１…吸気機構、３２…吸気路、３３…ファン、３７…ヒーター、３８…乾燥機構、３９…ケース、４０…循環部、４１…循環路、４２…ファン、４３…吸気口、４４…送風口、４５…反射板、４７…検出部、４８…制御部、５１…状態観測部、５２…絶対湿度変化情報取得部、５３…学習部、６１…表示画面、６２…調整メッセージ、９９…媒体、１００…ロール体、１１１…制御装置。
【図１】
2020104427.tif 000003
【図２】
2020104427.tif 000004
【図３】
2020104427.tif 000005
【図４】
2020104427.tif 000006
【図５】
2020104427.tif 000007
【図６】
2020104427.tif 000008
【図７】
2020104427.tif 000009